(57)【要約】【課題】戻り側のチェーンの下部に設けた仕切板の取り付け、取り外し作業を容易に行うことができるフローコンベヤの乗り越し搬送物返送装置を提供することを目的とする。【解決手段】フローコンベヤ１はチェーン６の両側に取り付けた掻取具５がコンベヤケース２内を循環走行し、搬送物Ｍを底板２ｃに沿って水平搬送し、中間排出口１１から排出する。このとき排出されずに乗り越した搬送物Ｍを戻り側のチェーン６の下方に分離して設けた平行な仕切板８上に移送し、仕切板８上に沿って中間排出口上方まで返送し落下させ排出する。仕切板８は、一方端が中間排出口１１の中央に対向する位置の手前で途切れ、他方端には、駆動スプロケット３の回転に伴って反転走行する掻取具５の内側軌跡に沿った湾曲状部７が形成されている。テール端板２ｄ、外周カバー７を取り外すだけで、仕切板８の引き出し、挿入により、着脱作業を容易に行うことができる。【選択図】図１
2007308282.tif 000002
【特許請求の範囲】
【請求項１】
駆動スプロケットと従動スプロケットとに巻き掛けられたチェーンの両側に取り付けた掻取具が、コンベヤケース内を循環走行し、投入口から投入された搬送物を該コンベヤケースの底板に沿って水平搬送し、該コンベヤケースの底板に設けた中間排出口から排出すると共に、該中間排出口から排出されずに乗り越した搬送物を戻り側のチェーンの下方に分離して設けられた平行な一対の仕切板上に移送し、該仕切板上に沿って前記中間排出口上方まで返送し、該仕切板から該中間排出口に落下させ排出するフローコンベヤの乗り越し搬送物返送装置であって、
前記コンベヤケースのヘッド部に、前記駆動スプロケットの回転に伴って上方に反転走行する掻取具の外側軌跡に沿った湾曲状の外周カバーが設けられ、
前記一対の仕切板がそれぞれ対峙する側に長手方向に亘って形成された立ち上がり壁を備え、該仕切板の一方端が前記中間排出口の中央に対向する位置の手前で途切れていると共に、その他方端が前記駆動スプロケットの回転に伴って反転走行する前記掻取具の内側軌跡に沿った湾曲状部に形成され、
前記各仕切板は、戻り側のチェーンに取り付けた掻取具の走行経路に沿って設けられると共に、コンベヤケースの各側板にそれぞれ着脱可能に取り付けられていることを特徴とするフローコンベヤの乗り越し搬送物返送装置。
【請求項２】
前記駆動スプロケットと従動スプロケットとの間に長手方向に亘って、戻り側のチェーンを支持するガイドレールが設けられていることを特徴とする請求項１記載のフローコンベヤの乗り越し搬送物返送装置。
【発明の詳細な説明】
【技術分野】
【０００１】
本発明は、穀類の粉体、粒体、粉炭、その他粉粒物等の粉粒体搬送物をコンベヤケース内で循環走行するチェーンに取り付けた掻取具を使って搬送し、コンベヤケースの底板に設けた中間排出口から排出するフローコンベヤの乗り越し搬送物返送装置に関し、特に、コンベヤケースの底板に設けた中間排出口から排出されずに乗り越した搬送物を戻り側のチェーンの下方に設けた仕切板上に移送して中間排出口上方まで返送し、仕切板から中間排出口に落下させ排出するフローコンベヤの乗り越し搬送物返送装置に関する。
【背景技術】
【０００２】
従来、チェーンに取り付けた掻取具が、コンベヤケース内を循環走行し、粉粒搬送物を水平方向に搬送し、コンベヤケースの底板に設けた中間排出口から排出すると共に、排出されずに前記中間排出口を乗り越した搬送物を戻り側のチェーンの側に設けた内側仕切板上に移送して中間排出口上方まで戻して排出するようにしたフローコンベヤの乗り越し搬送物戻し装置が知られている（例えば、特許文献１参照。）。
【特許文献１】実開昭５６−８４５１７号公報
【発明の開示】
【発明が解決しようとする課題】
【０００３】
前記従来のフローコンベヤの乗り越し搬送物戻し装置（特許文献１）は、戻り側のチェーンの下部に設けた内側仕切板が、スプロケットの入る部分にのみ形成されたスリットを有する一枚板からなるものであるから、メンテナンス、補修、仕切板交換等の際に、この内側仕切板を取り付けたり、取り外したりする場合、コンベヤケースの側板、上面板、チェーンなど全て外さなければならず、内側仕切板の取り付け、取り外し作業が容易でない、という問題がある。
【０００４】
そこで、本発明は、前述したような従来の問題点を解決し、戻り側のチェーンの下部に設けた仕切板の取り付け、取り外し作業を容易に行うことができ、メンテナンス、補修、仕切板交換等の作業も容易に行うことができるフローコンベヤの乗り越し搬送物返送装置を提供することを目的とする。
【課題を解決するための手段】
【０００５】
請求項１に係る本発明は、駆動スプロケットと従動スプロケットとに巻き掛けられたチェーンの両側に取り付けた掻取具が、コンベヤケース内を循環走行し、投入口から投入された搬送物を該コンベヤケースの底板に沿って水平搬送し、該コンベヤケースの底板に設けた中間排出口から排出すると共に、該中間排出口から排出されずに乗り越した搬送物を戻り側のチェーンの下方に分離して設けられた平行な一対の仕切板上に移送し、該仕切板上に沿って前記中間排出口上方まで返送し、該仕切板から該中間排出口に落下させ排出するフローコンベヤの乗り越し搬送物返送装置であって、前記コンベヤケースのヘッド部に、前記駆動スプロケットの回転に伴って上方に反転走行する掻取具の外側軌跡に沿った湾曲状の外周カバーが設けられ、前記一対の仕切板がそれぞれ対峙する側に長手方向に亘って形成された立ち上がり壁を備え、該仕切板の一方端が前記中間排出口の中央に対向する位置の手前で途切れていると共に、その他方端が前記駆動スプロケットの回転に伴って反転走行する前記掻取具の内側軌跡に沿った湾曲状部に形成され、前記各仕切板は、戻り側のチェーンに取り付けた掻取具の走行経路に沿って設けられると共に、コンベヤケースの各側板にそれぞれ着脱可能に取り付けられているフローコンベヤの乗り越し搬送物返送装置、という構成とすることにより前記課題を解決したものである。
【０００６】
請求項２に係る本発明は、前記請求項１に係る発明のフローコンベヤの乗り越し搬送物返送装置において、前記駆動スプロケットと従動スプロケットとの間に長手方向に亘って、戻り側のチェーンを支持するガイドレールが設けられている、という構成としたものである。
【発明の効果】
【０００７】
請求項１に係る本発明のフローコンベヤの乗り越し搬送物返送装置によれば、コンベヤケースのヘッド部に、前記駆動スプロケットの回転に伴って上方に反転走行する掻取具の外側軌跡に沿った湾曲状の外周カバーが設けられ、各仕切板がそれぞれ対峙する側に長手方向に亘って形成された立ち上がり壁を備え、該仕切板の他方端が前記駆動スプロケットの回転に伴って反転走行する前記掻取具の内側軌跡に沿った湾曲状部に形成されているので、前記湾曲状の外周カバーと前記仕切板の他方端に形成された湾曲状部との間を反転走行する掻取具により、中間排出口から排出されずに乗り越した搬送物を仕切板上に効率よく移送することができる。
【０００８】
また、一対の仕切板はそれぞれ対峙する側に長手方向に亘って形成された立ち上がり壁を備え、この各仕切板が、戻り側のチェーンに取り付けた掻取具の走行経路に沿って設けられると共に、コンベヤケースの各側板にそれぞれ取り付けられているので、コンベヤケースの側板と立ち上がり壁とで長手方向に亘って搬送物の搬送路となる凹溝が形成され、その結果、粉粒体搬送物を仕切板上からこぼれないように搬送することができる。
【０００９】
さらに、戻り側のチェーンの下方に設けられた仕切板は、従来のもののように一枚板でなく、分離した平行な一対の仕切板で構成されたもので、コンベヤケースの各側板にそれぞれ着脱可能に取り付けられているので、仕切板を取り外したり、取り付けたりする場合、コンベヤケースのヘッド部に設けられた湾曲状の外周カバーを取り外すだけで、駆動スプロケットやチェーンを外さなくとも、駆動スプロケットやチェーンに干渉されずに、別々に仕切板を引き出したり、スライド挿入したりすることができ、その結果、仕切板の着脱作業を容易に行うことができ、メンテナンス、補修、仕切板交換等の作業も容易に行うことができる。
【００１０】
請求項２に係る本発明のフローコンベヤの乗り越し搬送物返送装置によれば、駆動スプロケットと従動スプロケットとの間に長手方向に亘って、戻り側のチェーンを支持するガイドレールが設けられているので、戻り側のチェーンの中弛み走行を規制することができ、それに伴って掻取具の仕切板への過剰な圧接を抑制して戻り側のチェーンをスムーズに走行させることができる。また、ガイドレールが仕切板と別体に設けられているので、ガイドレールに干渉されずに容易に着脱できる。
【発明を実施するための最良の形態】
【００１１】
本発明の実施例を図１〜図５を参照して説明する。図１はフローコンベヤの乗り越し搬送物返送装置による搬送物の搬送状態を示す概略側面図、図２はフローコンベヤの乗り越し搬送物返送装置の要部を示す側面図、図３は図２のＸ３−Ｘ３線位置における矢印方向に見た断面図（ハッチングの図示略）、図４は図２のＸ４−Ｘ４線位置における矢印方向に見た断面図（ハッチングの図示略）、図５はチェーンの図示を省略した仕切板の配置状態を示す平面図である。
【００１２】
図１、図２に示すように、フローコンベヤ１は、コンベヤケース２のヘッド部２ａに設けた駆動スプロケット３と、テール部２ｂに設けた従動スプロケット４とに、掻取具５を取り付けたチェーン６が巻き掛けられて循環走行するものである。この掻取具（アタッチメント）５は、図３、図４に示すように、丸棒、角棒等の棒状物が屈曲されたものであるが、掻取具としては、普及品として使用されているフライト、スクレーパなど板状のものとしても構わない。
【００１３】
コンベヤケース２は、上面板のテール部２ｂに、粉粒体の搬送物Ｍが投入される投入口１０を備え、底板２ｃのヘッド部２ａ寄りあるいは略中央部に搬送物Ｍを排出する中間排出口１１を備えている。なお、図１、図２における符号２ｄはヘッド端板，２ｅはテール端板である。
【００１４】
コンベヤケース２のヘッド部２ａには、駆動スプロケット３の回転に伴ってチェーン６と共に、上方に反転走行する掻取具５の外側軌跡に沿った湾曲状の外周カバー７が設けられる。
【００１５】
駆動スプロケット３の回転に伴って底板２ｃ側から上方に反転走行する戻り側のチェーン６の走行経路の下方両側には、図３，図４に示すように、分離して平行に設けられた一対の仕切板８，８がコンベヤケース２の各側板２ｆ，２ｆにボルト８ｃなどで着脱可能に固着される。図５に示すように、この一対の仕切板８，８は、駆動スプロケット３を間に挟むようにして間隔を開けて設けられる。
【００１６】
分離して平行に設けられる一対の仕切板８，８は、それぞれ対峙する側に長手方向に亘って形成された立ち上がり壁８ａを備えている。この仕切板８，８の一方端は、図２に示すように、中間排出口１１の中央に対向する位置の手前で途切れており、また、他方端は、駆動スプロケット３の回転に伴って反転走行する掻取具５の内側軌跡に沿った湾曲状部８ｂに形成されている。
【００１７】
上記のように、立ち上がり壁８ａを備えた仕切板８がコンベヤケースの側板２ｆに取り付けられていることにより、立ち上がり壁８ａとコンベヤケースの側板２ｆとで長手方向に亘って搬送物の搬送路となる凹溝９が形成される。
【００１８】
駆動スプロケット３と従動スプロケット４との間に長手方向に亘って、戻り側のチェーン６を支持するガイドレール１２が設けられている。このガイドレール１２は、コンベヤケース２の側板２ｆ間に所定間隔を開けて所々に設けた支持フレーム１２ａにより支持される。
【００１９】
以上、フローコンベヤの乗り越し搬送物返送装置の構成について説明したが、以下作用効果を説明する。穀類の粉体、粒体、粉炭、その他粉粒物等の粉粒体の搬送物Ｍは、コンベヤケース２のテール部２ｂ側に設けた投入口１０から投入され、掻取具５の間からコンベヤケース２の底板２ｃ上に落下し、チェーン６と共に掻取具５で掻き取られながら水平搬送され、コンベヤケース２の底板２ｃに設けた中間排出口１１から排出される。
【００２０】
このとき、一部の搬送物Ｍは、掻取具５やチェーン６に付着して中間排出口１１から排出されずに乗り越し、この乗り越した搬送物Ｍは駆動スプロケット３側まで搬送され、湾曲状の外周カバー７と仕切板８の他方端に形成された湾曲状部８ｂとの間を走行するチェーン６、掻取具５等により、仕切板８上に効率よく移送される。この仕切板８上に移送された搬送物Ｍは、掻取具５により仕切板８上に沿って中間排出口１１上方まで返送され、仕切板８の途切れているところから落下し、搬送側のチェーンに取り付けた掻取具５の間を通過して中間排出口１１から排出される。
【００２１】
搬送物Ｍが仕切板８上に沿って返送される場合、立ち上がり壁８ａが形成された仕切板８がコンベヤケース２の側板２ｆに取り付けられているため、側板２ｆと立ち上がり壁８ａとで長手方向に亘って搬送物の搬送路となる凹溝９が形成されているので、搬送物Ｍを仕切板８上からこぼれないようにして搬送することができる。
【００２２】
さらに、戻り側のチェーン６の下方に設けられた仕切板は、従来のもののように一枚板でなく、分離した平行な一対の仕切板８，８で構成されたもので、戻り側のチェーン６に取り付けた掻取具５の走行経路に沿って設けられると共に、コンベヤケース２の各側板２ｆ，２ｆにそれぞれ着脱可能に取り付けられているので、仕切板を取り外したり、取り付けたりする場合、コンベヤケース２のヘッド部２ａに設けられたヘッド端板２ｄ、湾曲状の外周カバー７を取り外すだけで、駆動スプロケット３やチェーン６を外さなくとも、駆動スプロケット３やチェーン６に干渉されずに、別々に仕切板８を引き出したり、スライド挿入したりすることができ、その結果、仕切板８の取り外し、取り付け等の着脱作業を容易に行うことができ、メンテナンス、補修、仕切板交換等の作業も容易に行うことができる。
【００２３】
また、駆動スプロケット３と従動スプロケット４との間に長手方向に亘って、戻り側のチェーン６を支持するガイドレール１２が設けられているので、戻り側のチェーン６の中弛み走行を規制することができ、それに伴って掻取具５の仕切板８への過剰な圧接を抑制して戻り側のチェーン６をスムーズに走行させることができる。また、ガイドレール１２が仕切板８と別体に設けられているので、ガイドレール１２に干渉されずに仕切板８を容易に着脱することができる。
【図面の簡単な説明】
【００２４】
【図１】本発明実施例のフローコンベヤの乗り越し搬送物返送装置による搬送物の搬送状態を示す概略側面図である。
【図２】フローコンベヤの乗り越し搬送物返送装置の要部を示す側面図である。
【図３】図２のＸ３−Ｘ３線位置における矢印方向に見た断面図である。
【図４】図２のＸ４−Ｘ４線位置における矢印方向に見た断面図である。
【図５】チェーンの図示を省略した仕切板の配置状態を示す平面図である。
【符号の説明】
【００２５】
１      フローコンベヤ                ２      コンベヤケース
２ａ    ヘッド部                      ２ｂ    テール部
２ｃ    底板                          ２ｄ    ヘッド端板
２ｅ    テール端板                    ２ｆ    側板
３      駆動スプロケット              ４      従動スプロケット
５      掻取具                        ６      チェーン
７      湾曲状の外周カバー            ８      仕切板
８ａ    立ち上がり壁                  ８ｂ    湾曲状部
８ｃ    ボルト                        ９      凹溝
１０    投入口                        １１    中間排出口
１２    ガイドレール                  １２ａ  支持フレーム
Ｍ      搬送物
【図１】
2007308282.tif 000003
【図２】
2007308282.tif 000004
【図３】
2007308282.tif 000005
【図４】
2007308282.tif 000006
【図５】
2007308282.tif 000007